(57)【要約】【課題】蛍光ランプなどの熱陰極放電ランプおよび高圧放電ランプのいずれも点灯することのできる放電ランプ点灯装置およびこの放電ランプ点灯装置を配設する照明器具を提供する。【解決手段】放電ランプ点灯装置１は、熱陰極放電ランプ５の一方または他方の熱陰極５ａ，５ｂの両端が接続される出力端子１５ｃ，１５ｄ間の短絡状態を検出する短絡状態検出手段６と、出力端子１５ｃ，１５ｄ間の短絡状態に応じて予熱時制御、始動電圧印加時制御および点灯時制御の順序で、または始動電圧印加時制御および点灯時制御の順序で、インバータ回路３のスイッチング素子ＦＥＴ２，ＦＥＴ３のオンオフ動作を制御する制御手段６を具備する。【選択図】図１
2006338911.tif 000002
【特許請求の範囲】
【請求項１】
直流電圧を出力する直流電源と；
スイッチング素子を備え、このスイッチング素子のオンオフ動作により前記直流電圧を高周波電圧に変換して出力するインバータ回路と；
インバータ回路の出力側に選択的に接続され、前記高周波電圧により付勢される熱陰極放電ランプおよび高圧放電ランプのいずれか一方の放電ランプと；
インバータ回路の出力側に接続された放電ランプの種類を判別するランプ判別手段と；
ランプ判別手段により放電ランプが熱陰極放電ランプであると判別されたときに、前記スイッチング素子のオンオフ動作を予熱時制御、始動電圧印加時制御および点灯時制御の順序で制御して熱陰極放電ランプを点灯させ、放電ランプが高圧放電ランプであると判別されたときに、前記スイッチング素子のオンオフ動作を始動電圧印加時制御および点灯時制御の順序で制御して高圧放電ランプを点灯させる制御手段と；
を具備していることを特徴とする放電ランプ点灯装置。
【請求項２】
直流電圧を出力する直流電源と；
スイッチング素子を備え、このスイッチング素子のオンオフ動作により前記直流電圧を高周波電圧に変換して出力するインバータ回路と；
少なくともインダクタおよび共振用コンデンサを有してインバータ回路の出力間に接続され、前記高周波電圧により共振して共振電圧を出力端子に出力する共振回路と；
前記共振用コンデンサと並列的に接続されるように前記出力端子に接続され、前記共振電圧によって点灯する熱陰極放電ランプおよび高圧放電ランプのいずれか一方の放電ランプと；
放電ランプが高圧放電ランプのときに、熱陰極放電ランプの一方および他方の熱陰極の両端が接続されるそれぞれの出力端子間を短絡する短絡手段と；
熱陰極放電ランプの一方または他方の熱陰極の両端が接続される出力端子間の短絡状態を検出する短絡状態検出手段と；
短絡状態検出手段により前記出力端子間の短絡が検出されないときに、前記スイッチング素子のオンオフ動作を予熱時制御、始動電圧印加時制御および点灯時制御の順序で、前記出力端子間の短絡が検出されたときに、前記スイッチング素子のオンオフ動作を始動電圧印加時制御および点灯時制御の順序で、かつ点灯時制御においてそれぞれ所定のランプ電力となるように、または放電ランプに定電流が流れるように制御する制御手段と；
を具備していることを特徴とする放電ランプ点灯装置。
【請求項３】
請求項１または２記載の放電ランプ点灯装置と；
この放電ランプ点灯装置を配設している照明器具本体と；
を具備していることを特徴とする照明器具。
【発明の詳細な説明】
【技術分野】
【０００１】
本発明は、熱陰極放電ランプおよび高圧放電ランプのいずれも高周波点灯させることのできる放電ランプ点灯装置およびこの放電ランプ点灯装置を配設する照明器具に関する。
【背景技術】
【０００２】
異なる種類の放電ランプで点灯回路を共用することにより、コストダウンを図った放電ランプ点灯装置が提案されている（例えば、特許文献１参照。）。この従来技術の放電ランプ点灯装置は、ランプ電流の違いから接続された蛍光ランプの種類を判別するランプ判別回路を備え、ランプ判別回路の判別結果をもとに蛍光ランプに供給する電力を制御するように構成されていて、１つの点灯回路で例えばＦＨＤランプ（高周波点灯専用形蛍光ランプ、二重環形）と、ＦＨＣランプ（高周波点灯専用形蛍光ランプ、環形）の両方を点灯させることができる。
【０００３】
また、１つの点灯装置に定格の異なる高圧放電ランプを接続することのできる高圧放電ランプ点灯装置が提案されている（例えば、特許文献２参照。）。この従来技術の高圧放電ランプ点灯装置は、電圧変動を検出する電圧検出回路を備え、電圧変動に基づいてインバータ回路の駆動周波数を切り換えるように構成されていて、ランプ定格に対応した適切な明るさとなるように供給電力を自動設定することができる。
【０００４】
また、放電ランプと、放電ランプ以外の白熱ランプのような他のランプを点灯できるように構成した放電ランプ点灯装置が提案されている（例えば、特許文献３参照。）。この従来技術の放電ランプ点灯装置は、放電ランプを点灯させるための第１の点灯手段と、放電ランプ以外のランプ点灯用の第２の点灯手段を具備している。
【特許文献１】特開２００３−１６８５８０号公報（第７頁、第１図）
【特許文献２】特開２００３−３３２０８７号公報（第３頁、第１図）
【特許文献３】特開平４−２５３１８２号公報（第２頁、第１図）
【発明の開示】
【発明が解決しようとする課題】
【０００５】
特許文献１の放電灯点灯装置は、例えば互換性を有しないＦＨＤランプおよびＦＨＣランプの両方を１つの点灯回路で点灯させることができるが、点灯回路に接続されるランプの種類が蛍光ランプに限定されるものである。
【０００６】
また、特許文献２の高圧放電ランプ点灯装置は、定格電力の異なる高圧放電ランプを接続でき、当該定格電力に対応するように供給電力を自動設定することができるが、蛍光ランプを接続することができないものである。したがって、例えば部屋のレイアウトの変更などでランプの光色などを変更するときには、新たな施工が必要になるという欠点がある。
【０００７】
また、特許文献３の放電灯点灯装置は、放電ランプを点灯させる第１の点灯手段および放電ランプ以外のランプを点灯させる第２の点灯手段を具備するので、点灯回路が大型化するとともにコストアップするという欠点を有する。
【０００８】
本発明は、蛍光ランプなどの熱陰極放電ランプおよび高圧放電ランプのいずれも点灯することのできる放電ランプ点灯装置およびこの放電ランプ点灯装置を配設する照明器具を提供することを目的とする。
【課題を解決するための手段】
【０００９】
請求項１に記載の放電ランプ点灯装置の発明は、直流電圧を出力する直流電源と；スイッチング素子を備え、このスイッチング素子のオンオフ動作により前記直流電圧を高周波電圧に変換して出力するインバータ回路と；インバータ回路の出力側に選択的に接続され、前記高周波電圧により付勢される熱陰極放電ランプおよび高圧放電ランプのいずれか一方の放電ランプと；インバータ回路の出力側に接続された放電ランプの種類を判別するランプ判別手段と；ランプ判別手段により放電ランプが熱陰極放電ランプであると判別されたときに、前記スイッチング素子のオンオフ動作を予熱時制御、始動電圧印加時制御および点灯時制御の順序で制御して熱陰極放電ランプを点灯させ、放電ランプが高圧放電ランプであると判別されたときに、前記スイッチング素子のオンオフ動作を始動電圧印加時制御および点灯時制御の順序で制御して高圧放電ランプを点灯させる制御手段と；を具備していることを特徴とする。
【００１０】
本発明および以下の各発明において、特に言及しない限り、各構成は以下による。
【００１１】
直流電源は、バッテリ、交流電圧を整流または整流平滑したもの、あるいは、これらにチョッパ回路を接続したものなどのいずれでもよい。
【００１２】
ランプ判別手段は、熱陰極放電ランプおよび高圧放電ランプを判別できるものであればよく、例えば熱陰極（フィラメント電極）の有無、ランプ電圧、ランプ電流の相違などにより判別することができる。
【００１３】
本発明によれば、インバータ回路の出力側に熱陰極放電ランプおよび高圧放電ランプのいずれか一方の放電ランプが選択的に接続される。この選択的に接続された放電ランプは、ランプ判別手段により判別される。そして、制御手段は、ランプ判別手段の判別結果に応じて、インバータ回路のスイッチング素子のオンオフ動作を熱陰極放電ランプまたは高圧放電ランプのそれぞれの制御順序で制御して、熱陰極放電ランプまたは高圧放電ランプを点灯させる。
【００１４】
請求項２に記載の放電ランプ点灯装置の発明は、直流電圧を出力する直流電源と；スイッチング素子を備え、このスイッチング素子のオンオフ動作により前記直流電圧を高周波電圧に変換して出力するインバータ回路と；少なくともインダクタおよび共振用コンデンサを有してインバータ回路の出力間に接続され、前記高周波電圧により共振して共振電圧を出力端子に出力する共振回路と；前記共振用コンデンサと並列的に接続されるように前記出力端子に接続され、前記共振電圧によって点灯する熱陰極放電ランプおよび高圧放電ランプのいずれか一方の放電ランプと；放電ランプが高圧放電ランプのときに、熱陰極放電ランプの一方および他方の熱陰極の両端が接続されるそれぞれの出力端子間を短絡する短絡手段と；熱陰極放電ランプの一方または他方の熱陰極の両端が接続される出力端子間の短絡状態を検出する短絡状態検出手段と；短絡状態検出手段により前記出力端子間の短絡が検出されないときに、前記スイッチング素子のオンオフ動作を予熱時制御、始動電圧印加時制御および点灯時制御の順序で、前記出力端子間の短絡が検出されたときに、前記スイッチング素子のオンオフ動作を始動電圧印加時制御および点灯時制御の順序で、かつ点灯時制御においてそれぞれ所定のランプ電力となるように、または放電ランプに定電流が流れるように制御する制御手段と；を具備していることを特徴とする。
【００１５】
短絡手段は、例えば電線などの導体であり、導体の抵抗値は、低いほど好ましい。
【００１６】
出力端子は、熱陰極放電ランプの一方および他方の熱陰極の両端がそれぞれ接続される４個を有して構成される。ここで、熱陰極放電ランプが片側予熱されるものであるときは、非予熱側の本来熱陰極の両端が接続される出力端子間が短絡される。
【００１７】
「出力端子間の短絡が検出されないときに」とは、出力端子に熱陰極放電ランプが接続されていることを意味する。また、「出力端子間の短絡が検出されたときに」とは、出力端子に高圧放電ランプが接続されていることを意味する。
【００１８】
本発明によれば、短絡状態検出手段により出力端子間の短絡の有無が検出される。そして、当該短絡の有無に応じて、制御手段は、熱陰極放電ランプまたは高圧放電ランプを点灯させ、放電ランプが定電力となるように、または放電ランプに定電流が流れるように、インバータ回路のスイッチング素子のオンオフ動作を制御する。
【００１９】
請求項３に記載の放電ランプ点灯装置の発明は、請求項１または２記載の放電ランプ点灯装置と；この放電ランプ点灯装置を配設している照明器具本体と；を具備していることを特徴とする。
【００２０】
本発明によれば、請求項１または２記載の放電ランプ点灯装置を具備する照明器具が提供される。
【発明の効果】
【００２１】
請求項１および請求項２の発明によれば、熱陰極放電ランプおよび高圧放電ランプのいずれも点灯できるので、放電ランプ点灯装置の機種を削減することができる。
【００２２】
請求項３の発明によれば、請求項１または２記載の放電ランプ点灯装置を具備する照明器具を提供することができる。
【発明を実施するための最良の形態】
【００２３】
以下、本発明の一実施の形態について、図面を参照して説明する。まず、本発明の第１の実施形態について説明する。
【００２４】
図１ないし図５は、本発明の第１の実施形態を示し、図１は放電ランプ点灯装置の概略回路図、図２は熱陰極放電ランプを示し、（ａ）は正面図、（ｂ）は下面図、図３は他の放電ランプの点灯装置の概略回路図、図４は高圧放電ランプの正面図、図５は共振電圧を示し、（ａ）は熱陰極放電ランプのときの波形図、（ｂ）は高圧放電ランプのときの波形図である。
【００２５】
図１において、放電ランプ点灯装置１は、直流電源２、インバータ回路３、共振回路４、放電ランプとしての蛍光ランプ５、ランプ判別手段、短絡状態検出手段および制御手段としての制御回路６を有して構成されている。
【００２６】
直流電源２は、直流電圧発生回路９およびチョッパ回路１０からなっている。直流電圧発生回路９は、整流装置１１およびフィルター用のコンデンサＣ１を有してなり、商用交流電源Ｖｓの交流電圧を直流電圧に変換して、この直流電圧をコンデンサＣ１の両端間に出力する。整流装置１１の入力側は、コモンモードチョーク１２、このコモンモードチョーク１２の電源側および非電源側にそれぞれ並列的に接続されたコンデンサＣ２，Ｃ３を有してなるノイズフィルター回路１３、ヒューズＦ１および電源端子１４ａ，１４ｂを介して商用交流電源Ｖｓに接続されている。
【００２７】
チョッパ回路１０は、コンデンサＣ１の両端間に接続されたインダクタＬ１、電界効果トランジスタＦＥＴ１および抵抗Ｒ１の直列回路と、電界効果トランジスタＦＥＴ１および抵抗Ｒ１の直列回路の両端間に接続されたダイオードＤ１および平滑用コンデンサＣ４の直列回路を有して構成されている。電界効果トランジスタＦＥＴ１のゲートは、制御回路６に接続されている。そして、電界効果トランジスタＦＥＴ１のソースおよび抵抗Ｒ１の中点Ａは、制御回路６に接続されている。
【００２８】
また、一端がコンデンサＣ１の正極側に接続され、他端が制御回路６に接続されている抵抗Ｒ２を有している。この抵抗Ｒ２は、商用交流電源Ｖｓが投入されたときに、起動電流を制御回路６に供給する。これにより、起動時に、制御回路６が動作する。
【００２９】
また、インダクタＬ１の二次巻線Ｌ１ａの一端がコンデンサＣ１の負極側に接続され、他端が制御回路６に接続されている。そして、二次巻線Ｌ１ａの他端および一端（コンデンサＣ１の負極側）間には、ダイオードＤ２を介して電解コンデンサＣ５が接続され、電解コンデンサＣ５の正極側が制御回路６に接続されている。電解コンデンサＣ５は、起動後、二次巻線Ｌ１ａに流れる電流によって充電される。そして、電解コンデンサＣ５の充電電圧が駆動電源として制御回路６に供給される。
【００３０】
さらに、チョッパ回路１０の入力電圧は、抵抗Ｒ３および抵抗Ｒ４の直列回路によって検出され、出力電圧は、抵抗Ｒ５および抵抗Ｒ６の直列回路によって検出され、それぞれ制御回路６に入力されている。
【００３１】
制御回路６は、インダクタＬ１の二次巻線Ｌ１ａに発生する電圧に基づいて電界効果トランジスタＦＥＴ１をターンオンさせ、抵抗Ｒ１に流れる電流に基づいて電界効果トランジスタＦＥＴ１をターンオフさせ、さらにチョッパ回路１０の入力電圧および出力電圧に基づいて電界効果トランジスタＦＥＴ１をオンオフ動作させる。これにより、コンデンサＣ１の両端間に発生した直流電圧が昇圧され、平滑用コンデンサＣ４の両端間に所定の直流電圧（例えば４１０Ｖ）が発生する。平滑用コンデンサＣ４の両端間電圧は、インバータ回路３の入力電圧として出力される。
【００３２】
そして、インバータ回路３は、平滑用コンデンサＣ４の両端間にハーフブリッジに接続されたスイッチング素子としての電界効果トランジスタＦＥＴ２および電界効果トランジスタＦＥＴ３の直列回路を有して構成されている。電界効果トランジスタＦＥＴ２および電界効果トランジスタＦＥＴ３のそれぞれのゲートは、制御回路６に接続されている。電界効果トランジスタＦＥＴ２および電界効果トランジスタＦＥＴ３のそれぞれのドレイン、ソース間には、それぞれ寄生ダイオードＤ３，Ｄ４が内蔵されている。
【００３３】
電界効果トランジスタＦＥＴ２および電界効果トランジスタＦＥＴ３のそれぞれのゲート、ソース間には、制御回路６から駆動電圧（パルス電圧）が交互に供給される。これにより、電界効果トランジスタＦＥＴ２および電界効果トランジスタＦＥＴ３が交互にオンオフ動作する。このオンオフ動作により、直流電源２から出力された直流電圧は、高周波電圧に変換され、電界効果トランジスタＦＥＴ３のドレイン、ソース間に出力される。電界効果トランジスタＦＥＴ３のドレイン、ソース間は、インバータ回路３の出力間（出力側）となっている。
【００３４】
インバータ回路３の出力間には、出力端子１５ａ〜１５ｄおよび蛍光ランプ５を介して直列的に接続された直流カット用コンデンサＣ５、インダクタＬ２および共振用コンデンサＣ６を有する共振回路４が接続されている。そして、蛍光ランプ５が共振用コンデンサＣ６に並列的に接続されるように、蛍光ランプ５のフィラメント電極（熱陰極）５ａの両端が出力端子１５ａ，１５ｂに接続され、フィラメント電極（熱陰極）５ｂの両端が出力端子１５ｃ，１５ｄに接続されている。
【００３５】
出力端子１５ａは、インダクタＬ２の非電源側の一端側に設けられ、出力端子１５ｂは、共振用コンデンサＣ６の一端側に設けられ、出力端子１５ｃは、共振用コンデンサＣ６の他端側に設けられ、出力端子１５ｄは、電界効果トランジスタＦＥＴ３のソース側に抵抗Ｒ９を介して設けられている。
【００３６】
図２に、蛍光ランプ５の一例としてのコンパクト形蛍光ランプを示す。蛍光ランプ５は、口金部１６にフィラメント電極５ａ，５ｂのそれぞれの両端に接続されている接続ピン１７ａ〜１７ｄが突設されている。この接続ピン１７ａ〜１７ｄは、図示しないランプソケットにより、放電ランプ点灯装置１の出力端子１５ａ〜１５ｄにそれぞれ接続されている。
【００３７】
共振回路４は、電界効果トランジスタＦＥＴ３のドレイン、ソース間に出力する高周波電圧により共振する。そして、蛍光ランプ５は、共振回路４の共振作用によって点灯する。すなわち、蛍光ランプ５の予熱時に、蛍光ランプ５のフィラメント電極５ａ，５ｂが共振用コンデンサＣ６に流れる予熱電流によりそれぞれ予熱され、始動電圧印加時に、フィラメント電極５ａ，５ｂ間に高電圧の共振電圧（始動電圧）が印加され、点灯時に、所定の共振電圧（点灯電圧）が印加される。こうして、蛍光ランプ５は、インバータ回路３から出力された高周波電圧により付勢される。
【００３８】
そして、出力端子１５ｂおよび出力端子１５ｃ間、すなわち蛍光ランプ５の非電源側のフィラメント５ａ，５ｂ間には、抵抗Ｒ７および抵抗Ｒ８の直列回路を有してなるランプ電圧検出回路１８が接続されている。ランプ電圧検出回路１８は、蛍光ランプ５の両端間電圧（ランプ電圧）を検出して、制御回路６に出力する。
【００３９】
また、電界効果トランジスタＦＥＴ３のソースおよび出力端子１５ｄ（蛍光ランプ５の電源側のフィラメント電極５ｂ）間には、抵抗Ｒ９が介挿され、抵抗Ｒ９の両端間電圧が制御回路６に入力されている。抵抗Ｒ９は、蛍光ランプ５のランプ電流を検出する。
【００４０】
制御回路６は、入力したランプ電圧およびランプ電流から蛍光ランプ５のランプ電力を演算し、演算したランプ電力が所定のランプ電力（定電力）となるようにインバータ回路３の電界効果トランジスタＦＥＴ２，ＦＥＴ３のオンオフ動作を制御する。
【００４１】
また、出力端子１５ｃおよび出力端子１５ｄ間（蛍光ランプ５のフィラメント電極５ｂの両端間）は、制御回路６に接続されている。制御回路６は、動作開始すると、インバータ回路３の電界効果トランジスタＦＥＴ２，ＦＥＴ３を所定の駆動周波数でオンオフ動作させ、出力端子１５ｃ，１５ｄ間の電圧を検出する。そして、出力端子１５ｃ，１５ｄ間に有電圧を検出すると、出力端子１５ｃ，１５ｄ間に熱陰極（フィラメント電極５ｂ）が接続されていると判断して、出力端子１５ａ〜１５ｄに熱陰極放電ランプ（蛍光ランプ５）が接続されていると判断する。
【００４２】
そして、図３に示すように、出力端子１５ａおよび出力端子１５ｂと、出力端子１５ｃおよび出力端子１５ｄとがそれぞれ短絡手段としてのリード線１９，１９で短絡され、出力端子１５ａおよび出力端子１５ｄ間に放電ランプとしての高圧放電ランプ２０が接続されていると、制御回路６は、出力端子１５ｃ，１５ｄ間に有電圧を検出しないものである。これにより、制御回路６は、出力端子１５ａ〜１５ｄに高圧放電ランプ２０が接続されていると判断する。
【００４３】
図３に示す放電ランプ点灯装置２１は、図１に示す放電ランプ点灯装置１において、出力端子１５ａ〜１５ｄに蛍光ランプ５に代えて高圧放電ランプ２０を接続したものである。そして、出力端子１５ａ〜１５ｄに高圧放電ランプ２０を接続するときには、出力端子１５ａ，１５ｂ間および出力端子１５ｃ，１５ｄ間をそれぞれ例えばリード線１９，１９で短絡するものである。そして、出力端子１５ａまたは出力端子１５ｂに高圧放電ランプ２０の一方の電極２０ａが接続され、出力端子１５ｃまたは出力端子１５ｄに高圧放電ランプ２０の他方の電極２０ｂが接続される。
【００４４】
制御回路６は、ランプ電圧検出回路１８から入力したランプ電圧および抵抗Ｒ９から入力したランプ電流から高圧放電ランプ２０のランプ電力を演算し、演算したランプ電力が所定のランプ電力（定電力）となるようにインバータ回路３の電界効果トランジスタＦＥＴ２，ＦＥＴ３のオンオフ動作を制御する。
【００４５】
図４に、高圧放電ランプ２０の一例としてのメタルハライドランプを示す。高圧放電ランプ２０は、ベース部２２に一対の電極２０ａ，２０ｂに接続されている接続ピン２２ａ，２２ｂが突設されている。この接続ピン２２ａ，２２ｂは、図示しないランプソケットにより、放電ランプ点灯装置２１の出力端子１５ａ，１５ｄにそれぞれ接続されている。
【００４６】
図１および図３に示すように、インバータ回路３の出力間（出力側）に設けられている出力端子１５ａ〜１５ｄ間に蛍光ランプ５および高圧放電ランプ２０のいずれか一方の放電ランプが選択的に接続される。
【００４７】
制御回路６は、各種演算処理を行うＣＰＵ、プログラムが格納されたＲＯＭおよび各種データが記憶されているＲＡＭなどを具備している。そして、プログラムに基づいて電界効果トランジスタＦＥＴ２，ＦＥＴ３の駆動周波数を算出するなどの各種演算を行い、電界効果トランジスタＦＥＴ２，ＦＥＴ３のオンオフ動作を制御するように構成されている。
【００４８】
そして、制御回路６は、商用交流電源Ｖｓが投入されチョッパ回路１０の抵抗Ｒ２から起動電流が供給されると動作を開始し、初期化の処理後、所定の駆動周波数でインバータ回路３の電界効果トランジスタＦＥＴ２，ＦＥＴ３をオンオフ動作させる。そして、出力端子１５ｃ，１５ｄ間の電圧（Ｖｆ）を検出（計測）する。出力端子１５ｃ，１５ｄに蛍光ランプ５のフィラメント電極５ｂの両端が接続されていると、出力端子１５ｃ，１５ｄ間にフィラメント電圧（Ｖｆ）が発生するので、制御回路６は、有電圧を検出する。また、出力端子１５ｃ，１５ｄ間が例えばリード線１９により短絡されていると、制御回路６は、有電圧を検出しない。
【００４９】
このように、制御回路６は、出力端子１５ｃ，１５ｄ間のフィラメント電圧（Ｖｆ）を検出（計測）することにより、出力端子１５ｃ，１５ｄ間の短絡状態を検出する。すなわち、出力端子１５ｃ，１５ｄ間に有電圧のフィラメント電圧（Ｖｆ）を検出すると、出力端子１５ｃ，１５ｄ間が短絡されていなく、出力端子１５ａ〜１５ｄに蛍光ランプ５が接続されていると判断する。また、出力端子１５ｃ，１５ｄ間にフィラメント電圧（Ｖｆ）を検出しないと、出力端子１５ｃ，１５ｄ間が短絡されていて、出力端子１５ａ〜１５ｄに高圧放電ランプ２０が接続されていると判断する。すなわち、出力端子１５ｃ，１５ｄ間のフィラメント電圧（Ｖｆ）の有無により、インバータ回路３の出力側に設けられた出力端子１５ａ〜１５ｄに選択的に接続されている放電ランプの種類、すなわち蛍光ランプ５または高圧放電ランプ２０が判別される。
【００５０】
そして、制御回路６は、出力端子１５ｃ，１５ｄ間にフィラメント電圧（Ｖｆ）が検出されると、すなわち出力端子１５ｃ，１５ｄ間の短絡が検出されないと、インバータ回路３の電界効果トランジスタＦＥＴ２，ＦＥＴ３のオンオフ動作を予熱時制御、始動電圧印加時制御および点灯時制御の順序で制御する。また、出力端子１５ｃ，１５ｄ間にフィラメント電圧（Ｖｆ）が検出されないと、すなわち出力端子１５ｃ，１５ｄ間の短絡が検出されると、インバータ回路３の電界効果トランジスタＦＥＴ２，ＦＥＴ３のオンオフ動作を始動電圧印加時制御および点灯時制御の順序で制御する。そして、点灯時制御において、ランプ電圧検出回路１８から入力したランプ電圧および抵抗Ｒ９から入力したランプ電流から蛍光ランプ５または高圧放電ランプ２０のランプ電力を演算し、演算したランプ電力が所定のランプ電力（定電力）となるようにインバータ回路３の電界効果トランジスタＦＥＴ２，ＦＥＴ３のオンオフ動作を制御する。
【００５１】
次に、本発明の第１の実施形態の作用について述べる。
【００５２】
商用交流電源Ｖｓが投入されると、制御回路６は、チョッパ回路１０の抵抗Ｒ２から供給される起動電流により動作開始し、その後、電解コンデンサＣ５の両端間電圧を駆動電源として動作する。制御回路６は、動作開始すると、所定の初期化を行った後、インバータ回路３の電界効果トランジスタＦＥＴ２，ＦＥＴ３を所定の駆動周波数でオンオフ動作させる（短絡状態検出制御）。この結果、電界効果トランジスタＦＥＴ３、共振回路４および放電ランプ５，２０で形成される閉回路内において共振回路４の共振による共振電流が流れる。
【００５３】
図１に示すように、出力端子１５ａ〜１５ｄが蛍光ランプ５のフィラメント電極５ａ，５ｂに接続されていると、フィラメント電極５ａ，５ｂのそれぞれの両端間に共振電流によるフィラメント電圧（Ｖｆ）が発生し、出力端子１５ｃ，１５ｄ間にフィラメント電圧（Ｖｆ）が発生する。すなわち、出力端子１５ｃ，１５ｄは、略同電位に短絡されなくなる。そして、図３に示すように、出力端子１５ａ〜１５ｄが高圧放電ランプ２０のフィラメント電極２０ａ，２０に接続されていると、出力端子１５ａ，１５ｂ間および出力端子１５ｃ，１５ｄ間はそれぞれリード線１９，１９により短絡されているので、出力端子１５ｃ，１５ｄ間に共振電流による電圧が発生しなく、出力端子１５ｃ，１５ｄは、略同電位に短絡される。
【００５４】
制御回路６は、出力端子１５ｃ，１５ｄ間のフィラメント電圧（Ｖｆ）を計測（検出）し、出力端子１５ｃ，１５ｄ間の短絡状態を検出する。そして、出力端子１５ｃ，１５ｄ間の短絡が検出されないときに、出力端子１５ａ〜１５ｄに蛍光ランプ５が接続されていると判断して、図５（ａ）に示すように、インバータ回路３の電界効果トランジスタＦＥＴ２，ＦＥＴ３のオンオフ動作を予熱時制御、始動電圧印加時制御および点灯時制御の順序で制御する。すなわち、蛍光ランプ５の予熱時、始動電圧印加時および点灯時に、それぞれ所定の駆動周波数で電界効果トランジスタＦＥＴ２，ＦＥＴ３をオンオフ動作させる。これにより、蛍光ランプ５のフィラメント電極５ａ，５ｂが十分に予熱され、フィラメント電極５ａ，５ｂ間に所定の始動電圧が印加されて蛍光ランプ５が点灯（始動）し、以後、蛍光ランプ５は、定常点灯される。
【００５５】
そして、制御回路６は、ランプ電圧検出回路１８から入力したランプ電圧および抵抗Ｒ９から入力したランプ電流から蛍光ランプ５のランプ電力を演算し、演算したランプ電力が所定のランプ電力（定電力）となるようにインバータ回路３の電界効果トランジスタＦＥＴ２，ＦＥＴ３のオンオフ動作を制御する。これにより、蛍光ランプ５は、定電力（例えば２７Ｗ）で点灯する。
【００５６】
そして、制御回路６は、出力端子１５ｃ，１５ｄ間の短絡が検出されたときに、出力端子１５ａ〜１５ｄに高圧放電ランプ２０が接続されていると判断して、図５（ｂ）に示すように、インバータ回路３の電界効果トランジスタＦＥＴ２，ＦＥＴ３のオンオフ動作を始動電圧印加時制御および点灯時制御の順序で制御する。すなわち、高圧放電ランプ２０の始動電圧印加時および点灯時に、それぞれ所定の駆動周波数で電界効果トランジスタＦＥＴ２，ＦＥＴ３をオンオフ動作させる。これにより、高圧放電ランプ２０の一対の電極２０ａ，２０ｂ間に所定の始動電圧が印加されて高圧放電ランプ２０が点灯（始動）し、以後、高圧放電ランプ２０は、定常点灯される。制御回路６は、入力したランプ電圧およびランプ電流からランプ電力を演算し、演算したランプ電力が所定のランプ電力（定電力）となるようにインバータ回路３の電界効果トランジスタＦＥＴ２，ＦＥＴ３のオンオフ動作を制御する。これにより、高圧放電ランプ２０は、定電力（例えば３５Ｗ）で点灯する。
【００５７】
なお、制御回路６は、抵抗Ｒ９から入力したランプ電流が所定のランプ電流（定電流）となるようにインバータ回路３の電界効果トランジスタＦＥＴ２，ＦＥＴ３のオンオフ動作を制御するようにしてもよい。これにより、蛍光ランプ５は、例えば０．６１Ａの定電流で点灯され、高圧放電ランプ２０は、例えば０．５Ａの定電流で点灯される。
【００５８】
上述したように、インバータ回路３の出力間（出力側）に設けられた出力端子１５ａ〜１５ｄに蛍光ランプ５および高圧放電ランプ２０のいずれか一方の放電ランプが選択的に接続される。そして、制御回路６は、出力端子１５ａ〜１５ｄに接続されている放電ランプが蛍光ランプ５または高圧放電ランプ２０のいずれであるかを判断して、蛍光ランプ５または高圧放電ランプ２０に応じたインバータ回路３の電界効果トランジスタＦＥＴ２，ＦＥＴ３のオンオフ動作の制御をするように構成されている。すなわち、放電ランプ点灯装置１は、蛍光ランプ５および高圧放電ランプ２０のいずれも定電力または定電流で点灯させることができる。したがって、蛍光ランプ５および高圧放電ランプ２０の点灯装置の機種が削減される。
【００５９】
次に、本発明の第２の実施形態について説明する。
【００６０】
図６ないし図８は、本発明の第２の実施形態を示し、図６は放電ランプ点灯装置の概略回路図、図７は他の放電ランプの点灯装置の概略回路図、図８はスイッチング素子のオンオフ動作におけるランプ電流の変化を示す波形図である。なお、図１および図３と同一部分には同一符号を付して説明は省略する。
【００６１】
図６に示す放電ランプ点灯装置２３は、図１に示す放電ランプ点灯装置１において、チョッパ回路１０の平滑用コンデンサＣ４を平滑用コンデンサＣ７および平滑用コンデンサＣ８の直列回路に置換してチョッパ回路２４を形成し、共振回路４の直流カット用コンデンサＣ５を除去して共振回路２５を形成するとともに、出力端子１５ｄをランプ電流検出用の抵抗Ｒ９を介して平滑用コンデンサＣ７および平滑用コンデンサＣ８の中点Ｂに接続し、ランプ電圧検出回路１８を出力端子１５ｂおよび前記中点Ｂ間に接続して構成されている。電界効果トランジスタＦＥＴ２のドレイン、ソース間および電界効果トランジスタＦＥＴ３のドレイン、ソース間は、それぞれインバータ回路３の出力間（出力側）となっている。
【００６２】
制御回路６は、動作直後、出力端子１５ｃ，１５ｄ間のフィラメント電圧（Ｖｆ）を計測する。そして、出力端子１５ｃ，１５ｄ間の短絡が検出されないと、出力端子１５ａ〜１５ｄ間に蛍光ランプ５が接続されていると判断して、予熱時制御、始動電圧印加時制御および点灯時制御の順序でインバータ回路３の電界効果トランジスタＦＥＴ２，ＦＥＴ３のオンオフ動作を制御する。そして、点灯時制御において、蛍光ランプ５が定電力または定電流となるように、電界効果トランジスタＦＥＴ２，ＦＥＴ３を交互にオンオフ動作させる。これにより、蛍光ランプ５に略正弦波形状の高周波電流が流れる。
【００６３】
そして、図７に示す放電ランプ点灯装置２６は、図６に示す放電ランプ点灯装置２３において、蛍光ランプ５に代えて高圧放電ランプ２０が接続されたものである。すなわち、出力端子１５ａ，１５ｄ間に高圧放電ランプ２０が接続され、出力端子１５ａ，１５ｂ間および出力端子１５ｃ，１５ｄ間がそれぞれ短絡手段としてのリード線１９，１９により短絡されている。
【００６４】
制御回路６は、動作直後、出力端子１５ｃ，１５ｄ間の短絡を検出し、出力端子１５ａ〜１５ｄ間に高圧放電光ランプ２０が接続されていると判断する。そして、インバータ回路３の電界効果トランジスタＦＥＴ２，ＦＥＴ３のオンオフ動作を始動電圧印加時制御および点灯時制御の順序で制御して、高圧放電ランプ２０が定電力または定電流となるように高周波点灯させる。
【００６５】
そして、制御回路６は、点灯時制御において、図８に示すように、電界効果トランジスタＦＥＴ２，ＦＥＴ３を所定の期間毎にオフ動作させ、一方がオフしているときに他方をオンオフ動作させる。これにより、高圧放電ランプ２０に略矩形状の高周波電流が流れる。高圧放電ランプ２０を略矩形波で点灯させることにより、音響的共鳴現象の発生が回避される。
【００６６】
このように、放電ランプ点灯装置２３の出力端子１５ａ〜１５ｄに蛍光ランプ５および高圧放電ランプ２０のいずれか一方の放電ランプを接続でき、蛍光ランプ５を略正弦波で高周波点灯させ、高圧放電ランプ２０を略矩形波で点灯させることができる。蛍光ランプ５および高圧放電ランプ２０の点灯装置が共用化されるので、点灯装置の機種が削減される。
【００６７】
次に、本発明の第３の実施形態について説明する。
【００６８】
図９は、本発明の第３の実施形態を示す照明器具の一部切り欠き側面図である。なお、図１および図２と同一部分には同一符号を付して説明は省略する。
【００６９】
図９に示す照明器具２７は、天井などの造営物２８に埋設されるダウンライトであり、照明器具本体２９が造営物に取り付けられている。照明器具本体２９は、一端側２９ａに開口３０を有する略筒状に形成され、他端側２９ｂにランプソケット３１を配設している。また、他端側２９ｂには天板３２が設けられ、この天板３２に放電ランプ用点灯装置３３が配設されている。放電ランプ用点灯装置３３は、図１に示す放電ランプ点灯装置１において、蛍光ランプ５が除去されたものである。そして、蛍光ランプ５は、ランプソケット３１に装着されている。
【００７０】
蛍光ランプ５は、放電ランプ用点灯装置３３が給電されると高周波点灯する。そして、蛍光ランプ５からの放射光は、直接光または照明器具本体２９の内面で反射された反射光となって開口３０から出射される。
【００７１】
そして、照明器具本体２９の他端側２９ｂに配設されているランプソケット３１を高圧放電ランプ２０用のランプソケットに置換して、当該ランプソケットに高圧放電ランプ２０を装着することにより、高圧放電ランプ２０を点灯させることができる。すなわち、新たな大きな施工をすることなく、照明器具２７からの照明光の光色を変更することができる。
【図面の簡単な説明】
【００７２】
【図１】本発明の第１の実施形態を示す放電ランプ点灯装置の概略回路図。
【図２】同じく、熱陰極放電ランプを示し、（ａ）は正面図、（ｂ）は下面図。
【図３】同じく、他の放電ランプの点灯装置の概略回路図。
【図４】同じく、高圧放電ランプの正面図。
【図５】同じく、共振電圧を示し、（ａ）は熱陰極放電ランプのときの波形図、（ｂ）は高圧放電ランプのときの波形図。
【図６】本発明の第２の実施形態を示す放電ランプ点灯装置の概略回路図。
【図７】同じく、他の放電ランプの点灯装置の概略回路図。
【図８】同じく、スイッチング素子のオンオフ動作におけるランプ電流の変化を示す波形図。
【図９】本発明の第３の実施形態を示す照明器具の一部切り欠き側面図。
【符号の説明】
【００７３】
１，２１，２３，２６…放電ランプ点灯装置
２…直流電源
３…インバータ回路
４，２５…共振回路
５…熱陰極放電ランプとしての蛍光ランプ
６…ランプ判別手段、短絡状態検出手段および制御手段としての制御回路
１９…短絡手段としてのリード線
２０…高圧放電ランプ
２７…照明器具
２９…照明器具本体
【図１】
2006338911.tif 000003
【図２】
2006338911.tif 000004
【図３】
2006338911.tif 000005
【図４】
2006338911.tif 000006
【図５】
2006338911.tif 000007
【図６】
2006338911.tif 000008
【図７】
2006338911.tif 000009
【図８】
2006338911.tif 000010
【図９】
2006338911.tif 000011